(57)【特許請求の範囲】
【請求項１】
通信回線を介して送信対象となるデータを受信するデータ通信部と、
前記データ通信部の動作モードを、前記データの受信が可能な通常モードと、前記通常モードよりも消費電力の小さい省電力モードとの間で切り換える動作モード制御部とを備え、
前記動作モード制御部は、
前記データの受信前に、前記通信回線を介して呼出信号の着信を検出する着信検出部と、
前記呼出信号の着信検出後、前記通信回線を介して送信側の識別信号を受信して、前記データの受信前に、初期通信信号を送信側に発信する初期通信部と、
前記初期通信信号の発信後、前記データ通信部への電力供給を制御することにより、前記データ通信部を前記省電力モードから前記通常モードに切り替える電力制御部とを備えていることを特徴とするデータ通信装置。
【請求項２】
前記データ通信部は、
前記初期通信部と通信可能に接続され、送信側から送信されるデータを前記初期通信部を介して受信する通信制御部と、
前記通信制御部への電力供給を制御する電力供給制御部とをさらに備え、
前記動作モード制御部の前記電力制御部は、前記初期通信信号の発信後、前記データ通信部の前記電力供給制御部に電力を供給し、前記電力供給制御部から前記通信制御部に電力を供給させることを特徴とする請求項１に記載のデータ通信装置。
【請求項３】
前記動作モード制御部は、前記データ通信部での前記データの受信完了直後または受信完了から所定時間経過後に、前記データ通信部への電力供給を遮断することにより、前記データ通信部を前記通常モードから前記省電力モードに切り換えることを特徴とする請求項１または２に記載のデータ通信装置。
【請求項４】
前記識別信号は、ＣＮＧ信号であり、
前記初期通信信号は、ＣＥＤ信号またはＡＮＳａｍ信号であることを特徴とする請求項１から３のいずれかに記載のデータ通信装置。
【請求項５】
請求項１から４のいずれかに記載のデータ通信装置と、
前記データ通信装置が受信したデータに基づいて、記録媒体に画像を形成するための画像形成部とを備えていることを特徴とする画像形成装置。
【発明の詳細な説明】
【技術分野】
【０００１】
本発明は、送信側との間で信号のやり取りを行ってからデータを受信するデータ通信装置と、そのデータ通信装置を備えた画像形成装置とに関するものである。
【背景技術】
【０００２】
従来から、ファクシミリの機能を備えた通信装置が種々提案されている。例えば特許文献１の装置では、ＣＰＵ、内部メモリ、記憶装置、入力装置、出力装置、通信装置等の各部を機能ごとにグループ化して２つ以上の複数のブロックに分割するとともに、各ブロックの動作モードを、通常の動作が可能な正規電力駆動モードと、電源を完全に遮断したオフ状態または低消費電力の待機状態で駆動する省電力駆動モードとで切り換えて制御するようにしている。そして、回線からの着信を検出する着信検出手段と、電力制御手段とを含むブロックのみを正規電力駆動モードに設定し、着信検出手段が着信を検出して着信したことを示す信号を出力したとき、電力制御手段が、装置内のデータ通信に必要なブロックのみを正規電力駆動モードに切り換えるようにしている。これにより、着信検出後に装置全体を動作状態にする場合に比べて、より低消費電力化を図ることが可能となっている。
【先行技術文献】
【特許文献】
【０００３】
【特許文献１】特開平１１−３２７７０５号公報（請求項１、段落〔０００３〕、〔００３１〕、図１等参照）
【発明の概要】
【発明が解決しようとする課題】
【０００４】
ところで、データ送信側からデータ受信側に対してファクシミリのデータが送信される場合、受信側で呼出信号を着信してからすぐに送信側からデータが送られてくるのではなく、お互いの装置がファクシミリ機能を有しているかどうかの確認のために、送信側はまず、自分がファクシミリ機能を持っていることを示す識別信号（例えばＣＮＧ信号）を送信し、受信側は、その識別信号を受けて、自分がファクシミリ機能を持っていることを示す初期通信信号（例えばＣＥＤ信号）を送信側に向けて発信し、送信側がこの初期通信信号を受けてはじめて、受信側に向けてデータを送信する。
【０００５】
したがって、特許文献１のように、着信検出後、直ちに必要なブロックを動作状態にする構成では、データが送信されない期間、つまり、識別信号および初期通信信号の送受信の期間においても電力が消費されるため、データ通信を行う際に無駄な電力が消費されるという問題が生ずる。
【０００６】
本発明は、上記の問題点を解決するためになされたもので、その目的は、データ通信を行う際に、データが送信されない期間での無駄な電力消費を回避して、より省電力化を図ることができるデータ通信装置と、そのデータ通信装置を備えた画像形成装置とを提供することにある。
【課題を解決するための手段】
【０００７】
本発明のデータ通信装置は、通信回線を介して送信対象となるデータを受信するデータ通信部と、前記データ通信部の動作モードを、前記データの受信が可能な通常モードと、前記通常モードよりも消費電力の小さい省電力モードとの間で切り換える動作モード制御部とを備え、前記動作モード制御部は、前記データの受信前に、前記通信回線を介して呼出信号の着信を検出する着信検出部と、前記呼出信号の着信検出後、前記通信回線を介して送信側の識別信号を受信して、前記データの受信前に、初期通信信号を送信側に発信する初期通信部と、前記初期通信信号の発信後、前記データ通信部への電力供給を制御することにより、前記データ通信部を前記省電力モードから前記通常モードに切り替える電力制御部とを備えていることを特徴としている。
【０００８】
上記の構成によれば、初期通信信号の発信後、電力制御部によって前記データ通信部が省電力モードから通常モードに切り替わるので、データ通信部は、初期通信信号の発信後に送信側から送信されるデータを受信することが可能な状態となる。
【０００９】
また、データ通信部が通常モードに切り替わるのは、着信検出部が呼出信号の着信を検出し、その後、初期通信部が送信側の識別信号を受信し、それを受けて初期通信信号を送信側に発信した後である。つまり、データ送信前（初期通信信号の発信前）においては、データ通信部は通常モードで動作しない。これにより、データが送信されない期間（識別信号および初期通信信号の送受信のみが行われる期間）において、データ通信部で無駄に電力が消費されることがない。その結果、呼出信号の着信を検出してから、データ通信部が通常モードとなってデータの受信が完了するまでの１通信において、データ通信部での電力消費量を抑えて、より省電力化を図ることができる。
【００１０】
また、初期通信部は初期通信信号を送信側に発信する簡単な回路で構成することができるので、初期通信部での消費電力を小さく抑えることは可能である。したがって、動作モード制御部が初期通信部を備えた構成であっても、上記の１通信においては、装置全体としての消費電力を抑えることができる。
【００１１】
本発明のデータ通信装置において、前記データ通信部は、前記初期通信部と通信可能に接続され、送信側から送信されるデータを前記初期通信部を介して受信する通信制御部と、前記通信制御部への電力供給を制御する電力供給制御部とをさらに備え、前記動作モード制御部の前記電力制御部は、前記初期通信信号の発信後、前記データ通信部の前記電力供給制御部に電力を供給し、前記電力供給制御部から前記通信制御部に電力を供給させる構成であってもよい。
【００１２】
初期通信信号の発信後、電力供給制御部によって通信制御部に電力が供給される。これにより、通信制御部は、初期通信部を介してデータを受信することが可能な状態となり、データ通信部を確実に通常モードで動作させることが可能となる。
【００１３】
本発明のデータ通信装置において、前記動作モード制御部は、前記データ通信部での前記データの受信完了直後または受信完了から所定時間経過後に、前記データ通信部への電力供給を遮断することにより、前記データ通信部を前記通常モードから前記省電力モードに切り換える構成であってもよい。
【００１４】
このように、データ受信完了直後または受信完了から所定時間経過後に、データ通信部を通常モードから省電力モードに切り替えることにより、データの１通信の間のみならず、データの受信完了後も含めて、データ通信部での省電力化を図ることができる。
【００１５】
本発明のデータ通信装置において、前記識別信号は、ＣＮＧ信号であり、前記初期通信信号は、ＣＥＤ信号またはＡＮＳａｍ信号であってもよい。
【００１６】
この場合は、本発明のデータ通信装置をファクシミリ装置として機能させることができる。
【００１７】
本発明の画像形成装置は、上述した本発明のデータ通信装置と、前記データ通信装置が受信したデータに基づいて、記録媒体に画像を形成するための画像形成部とを備えていてもよい。
【００１８】
この構成では、データ通信装置にて受信したデータに基づいて、記録媒体に画像が形成される画像形成装置を実現することができる。
【発明の効果】
【００１９】
本発明によれば、呼出信号の着信検出後、直ちにデータ通信部が省電力モードから通常モードに切り替わる構成に比べて、データ通信部が通常モードに切り替わるタイミングが遅れる。したがって、送信対象となるデータが送信されない期間、すなわち、識別信号および初期通信信号の送受信の期間において、データ通信部にて無駄な電力消費がなく、１通信におけるデータ通信部での電力消費量を抑えて、より省電力化を図ることができる。また、初期通信部は初期通信信号を送信側に発信する簡単な回路で構成することができ、初期通信部での消費電力を小さく抑えることは可能であるので、動作モード制御部が初期通信部を備えた構成であっても、上記の１通信においては、装置全体としての消費電力を抑えることができる。
【図面の簡単な説明】
【００２０】
【図１】本発明の実施の一形態に係る画像形成装置としての複合機の概略の構成を模式的に示す断面図である。
【図２】上記複合機のハードウェア構成の一例を示すブロック図である。
【図３】上記複合機のファクシミリ装置の詳細な構成を示すブロック図である。
【図４】上記ファクシミリ装置における動作の流れを示すフローチャートである。
【発明を実施するための形態】
【００２１】
本発明の実施の一形態について、図面に基づいて説明すれば、以下の通りである。まず、本発明のデータ通信装置としてのファクシミリ装置について説明する前に、そのファクシミリ装置を備えた画像形成装置について説明する。
【００２２】
（画像形成装置の概略）
図１は、電子写真方式を利用して画像を形成する画像形成装置としての複合機２００の概略の構成を模式的に示す正面視での断面図である。複合機２００は、例えば、コピー、ファクシミリ、スキャナ、プリンタ等の諸機能を併せ持つ、いわゆるＭＦＰ（Multi Function Peripheral）と呼ばれるものであり、画像読取部１と、原稿搬送部２とを有している。
【００２３】
画像読取部１は、原稿搬送部２によって搬送されて搬送読取用コンタクトガラス１１上を通過する原稿の画像、または、載置読取用コンタクトガラス１２に載置された原稿の画像を読み取る。この画像読取部１は、原稿搬送部２によって搬送される原稿の画像読取時には、光源を有するキャリッジを読取位置に移動させ、その読取位置で搬送読取用コンタクトガラス１１を介して原稿に光を照射し、原稿からの反射光をイメージセンサで受光することにより、上記原稿の画像を主走査方向の１ラインごとに読み取る。また、画像読取部１は、載置読取用コンタクトガラス１２に載置された原稿の画像読取時には、キャリッジを副走査方向に移動させながら載置読取用コンタクトガラス１２を介して原稿に光を照射し、原稿からの反射光をイメージセンサで受光することにより、上記原稿の画像を読み取る。
【００２４】
原稿搬送部２は、搬送読取用コンタクトガラス１１上に読取原稿を１枚ずつ自動的に連続して搬送する原稿搬送装置であり、画像読取部１の上方に設けられている。この原稿搬送部２は、複合機背面側に水平に位置する回動軸（図示せず）を中心に回動可能に設けられており、画像読取部１の原稿台（載置読取用コンタクトガラス１２）に原稿を載置する際に上下方向に開閉する上面カバーを構成している。また、載置読取用コンタクトガラス１２に載置されるブック原稿の画像を読み取る場合、原稿搬送部２はブック原稿を上から押さえる原稿押さえ部としても機能する。なお、原稿搬送部２の代わりに、原稿押さえ部としての機能のみを有する上面カバーが設けられてもよい。
【００２５】
また、複合機２００は、画像読取部１の正面側に操作パネル３を有している。操作パネル３は、複合機２００の設定用のキーを表示しつつユーザによる設定入力を受け付ける入力部であり、タッチパネルを含む液晶表示部３０と、コピー部数等の数字入力を行うためのテンキー部３１と、印刷開始を指示入力するためのスタートキー３２とを有している。
【００２６】
また、複合機２００は、給紙部４Ａ、搬送路４Ｂ、画像形成部５Ａ、中間転写部５Ｂ、定着部５Ｃ等を備えており、画像読取部１で読み取られた画像を記録媒体上に形成する。なお、複合機２００は、外部から送信される画像データに基づいて記録媒体上に画像を形成することもできる。
【００２７】
給紙部４Ａは、複合機２００の本体内に複数設けられており、それぞれ、各サイズ（例えば、Ａ４、Ｂ４等のＡ型、Ｂ型用紙等）、各種用紙（例えば、コピー用紙、再生紙、厚紙、ＯＨＰシート等）を記録媒体として複数枚収容している。各給紙部４Ａは、それぞれ回転駆動する給紙ローラ４１を備え、印刷時、１枚ずつ搬送路４Ｂに用紙を送り込む。
【００２８】
搬送路４Ｂは、装置内で用紙を搬送する通路である。そして、搬送路４Ｂには、用紙の案内のためのガイド板や、用紙搬送時に回転駆動する搬送ローラ対４２（図１おいて、上方から４２Ａ、４２Ｂ、４２Ｃの計３つ）や、搬送される用紙を画像形成部５Ａの手前で待機させ、形成されたトナー像の転写タイミングに合わせて用紙を送り出すレジストローラ対４３等が設けられる。また、定着完了後の用紙を排出トレイ４４に排出する排出ローラ対４５も設けられる。
【００２９】
画像形成部５Ａは、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部１で読み取られた画像の画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００３０】
中間転写部５Ｂは、各画像形成ユニット５０からトナー像の１次転写を受け、用紙に２次転写を行う。中間転写部５Ｂは、各１次転写ローラ５２Ｂｋ〜５２Ｍ、中間転写ベルト５３、駆動ローラ５４、複数の従動ローラ５５、２次転写ローラ５６、ベルト清掃装置５７等で構成される。各１次転写ローラ５２Ｂｋ〜５２Ｍは、対応する感光体ドラムとで無端状の中間転写ベルト５３を挟み込む。各１次転写ローラ５２Ｂｋ〜５２Ｍには、転写用電圧が印加され、トナー像は中間転写ベルト５３に転写される。
【００３１】
中間転写ベルト５３は、駆動ローラ５４等に張架され、モータ等の駆動機構（不図示）に接続される駆動ローラ５４の回転駆動により周回する。駆動ローラ５４は、２次転写ローラ５６とで中間転写ベルト５３を挟み込む。各画像形成ユニット５０で形成されたトナー像（ブラック、イエロー、シアン、マゼンタの各色）は、順次、ずれなく重畳して中間転写ベルト５３に１次転写された後、所定の電圧を印加された２次転写ローラ５６により、用紙に転写される。
【００３２】
定着部５Ｃは、用紙に転写されたトナー像を定着させる。定着部５Ｃは、主として、発熱体を内蔵する加熱ローラ５８とこれに圧接する加圧ローラ５９からなる。用紙が、加熱ローラ５８と加圧ローラ５９との間に形成されるニップを通過すると、トナーが溶融・加熱され、トナー像が用紙に定着する。定着部５Ｃから排出される用紙は、排出トレイ４４に送られる。
【００３３】
（複合機のハードウェア構成）
次に、複合機２００のハードウェア構成について説明する。図２は、複合機２００のハードウェア構成の一例を示すブロック図である。複合機２００は、本体制御部６を有している。
【００３４】
本体制御部６は、画像読取部１、原稿搬送部２、操作パネル３、給紙部４Ａ、搬送路４Ｂ、画像形成部５Ａ、中間転写部５Ｂ、定着部５Ｃと接続され、用紙搬送やトナー像形成等、各部の動作制御を行う。操作パネル３での設定やコピー実行指示は、本体制御部６に伝達される。本体制御部６は、上記の設定や指示に基づき、画像読取部１および原稿搬送部２に対して動作指示を与える。そして、本体制御部６は、画像読取部１から受け取った原稿の画像データに基づき、印刷を行わせる（コピー）。
【００３５】
本体制御部６には、中央演算処理装置としてのＣＰＵ６１と、記憶部６２とが設けられている。記憶部６２は、ＲＡＭ（Random Access Memory）、ＲＯＭ（Read Only Memory）、ＨＤＤ（Hard disk drive）、フラッシュＲＯＭ等の、不揮発性および揮発性のメモリで構成されている。なお、記憶部６２は、本体制御部６の外部に設けられていてもよい。
【００３６】
記憶部６２は、複合機２００を制御するためのプログラム、データ等を記憶する。本体制御部６は、記憶部６２のプログラムやデータを利用して、各部を制御し、印刷を行わせる。なお、本体制御部６は、全体制御や通信制御や画像処理を行うメイン制御部、画像形成や各種回転体を回転させるモータ等のＯＮ／ＯＦＦ等を行い、印刷を制御するエンジン制御部等、機能ごとに分割して複数種設けられてもよい。ここでは、これらの制御部をまとめた形態で示して説明する。
【００３７】
また、本体制御部６には、画像処理部６３が設けられる。画像処理部６３は、ＡＳＩＣやメモリ等で構成され、濃度変換処理や、拡大縮小処理や、回転処理や、画像データの圧縮、伸張処理などの各種画像処理を行う。なお、画像処理部６３は、その他、公知となっている画像処理（例えば、枠消し処理）等を行うこともできる。
【００３８】
さらに、本体制御部６には、ファクシミリ装置７が接続されている。このファクシミリ装置７により、通信回線（例えば電話回線）を介してデータを送受信することが可能である。以下、ファクシミリ装置７の詳細について説明する。
【００３９】
（ファクシミリ装置の詳細について）
図３は、ファクシミリ装置７の詳細な構成を示すブロック図である。なお、同図では、データや信号（制御信号を含む）の経路を実線の矢印で示し、電力の経路を白抜きの矢印で示している。ファクシミリ装置７は、回線Ｉ／Ｆ部７１と、電源部７２と、動作モード制御部８０と、データ通信部９０とを有している。回線Ｉ／Ｆ部７１は、通信回線を介してデータや各種の信号（制御信号を除く）を送受信するためのインターフェースである。
【００４０】
ここで、データとは、ファクシミリでの送受信の対象となる、文字、図面、写真等を構成する点や線などのデータを示す。また、送受信される信号とは、例えば呼出信号、ＣＮＧ信号、ＣＥＤ信号、ＡＮＳａｍ信号など、上記データの送受信前に、送信側と受信側との間で送受信される信号を指す。データと信号とは、このような点で区別される。
【００４１】
電源部７２は、装置の各部に電力を供給するための電源である。動作モード制御部８０には、電源部７２からの電力が常に供給されているが、データ通信部９０への電力供給は、動作モード制御部８０によって制御される。
【００４２】
動作モード制御部８０は、送信側から通信回線を介して送信される呼出信号やＣＮＧ信号の受信を監視するとともに、データ通信部９０への電力供給を制御することにより、データ通信部９０の動作モードを、通常モードと省電力モードとの間で切り換える。ここで、通常モードとは、データ通信部９０に電力が供給されて、データ通信部９０が動作可能な状態となり、少なくとも、データ通信部９０でデータの送受信が可能となる動作モードを指す。一方、省電力モードとは、データ通信部９０への電力供給が遮断されてデータ通信部９０が動作不可能な状態となり、電力供給の遮断によって、通常モードよりも消費電力が小さくなるモードを指す。
【００４３】
このような制御を行う動作モード制御部８０は、着信検出部８１と、初期通信部８２と、電力制御部８３とを備えている。
【００４４】
着信検出部８１は、送信側から送信されるデータの受信前に、通信回線を介して呼出信号（リンガー信号）の着信を検出するものである。初期通信部８２は、着信検出部８１にて呼出信号の着信を検出した後、通信回線を介して送信される送信側の識別信号であるＣＮＧ信号を受信し、それを受けて、初期通信信号であるＣＥＤ信号をデータの受信前に送信側に発信する。一般には、ＣＮＧ信号は、０．５秒間だけＯＮとなり、その後３秒間ＯＦＦとなる１１００Ｈｚのトーン信号であり、ＣＥＤ信号は、２１００Ｈｚのトーン信号である。ＣＮＧ信号の受信およびＣＥＤ信号の発信により、データの送信側と受信側とは、互いにファクシミリでデータを送受信できることを認識することができ、送信側は受信側に向けてデータを送信することが可能となる。なお、初期通信部８２は、上記のＣＥＤ信号の代わりにＡＮＳａｍ信号を発信してもよい。
【００４５】
電力制御部８３は、初期通信部８２がＣＥＤ信号を発信側に発信した後、データ通信部９０を省電力モードから通常モードに切り替える。ここで、上記のＣＥＤ信号は、初期通信部８２から着信検出部８１を介して送信側に送られるので、着信検出部８１は、ＣＥＤ信号の発信の有無を判断できる。ＣＥＤ信号が発信されると、着信検出部８１は電力制御部８３にＣＥＤ信号の発信を知らせる信号を出力する。電力制御部８３は、着信検出部８１からの信号を受けることでＣＥＤ信号の発信を認識し、その後、データ通信部９０への電力供給を制御して、データ通信部９０を省電力モードから通常モードに切り替えることになる。
【００４６】
データ通信部９０は、ＣＥＤ信号の送信側への発信後に、送信側から通信回線を介して送信されるデータを受信するデータ受信部としての機能を有するとともに、通信回線を介してデータを送信するデータ送信部としての機能を有している。このデータ通信部９０は、通信制御部９１と、電力供給制御部９２と、ＣＰＵ９３と、内部メモリ９４と、記憶装置９５とを備えている。
【００４７】
通信制御部９１は、動作モード制御部８０の初期通信部８２と通信可能に接続されており、送信側から送信されるデータを、着信検出部８１および初期通信部８２を介して受信することが可能である。電力供給制御部９２は、通信制御部９１を含むデータ通信部９０の各部への電力供給を制御するものである。この電力供給制御部９２による電力供給は、動作モード制御部８０の電力制御部８３によって制御される。なお、本実施形態では、電源部７２の電力を、電力制御部８３を介して電力供給制御部９２に供給する構成としているが、直接電力供給制御部９２に供給するようにしても構わない。
【００４８】
内部メモリ９４や記憶装置９５には、データ通信部９０を制御するためのプログラムや、通信制御部９１にて受信したデータが記憶される。ＣＰＵ９３は、上記のプログラムに従って動作し、受信したデータの内部メモリ９４や記憶装置９５への格納など、各部の動作を制御する。また、ＣＰＵ９３は、内部メモリ９４や記憶装置９５に格納されたデータを、上述した本体制御部６を介して外部（例えば画像形成部５Ａ（図２参照））に送信する制御も行う。これにより、複合機２００では、ファクシミリ装置７で受信したデータに基づき、用紙に画像を印刷することができる。
【００４９】
（ファクシミリ装置の動作モードの制御について）
次に、上記構成のファクシミリ装置７における通常モードと省電力モードとの切り換え動作について説明する。図４は、ファクシミリ装置７における動作の流れを示すフローチャートである。
【００５０】
まず、データ通信部９０は、省電力モードにあり、データの送受信が不可能な状態にあるものとする。なお、動作モード制御部８０には、電源部７２からの電力が常に供給されているため、常に、外部からの呼出信号の着信を検出できる状態にある。
【００５１】
動作モード制御部８０の着信検出部８１が、通信回線を介して送信された呼出信号の着信を検出すると（Ｓ１）、次に、初期通信部８２は、同じく通信回線を介して送信されるＣＮＧ信号を受信するまで待機し（Ｓ２）、ＣＮＧ信号を受信すると、送信側にＣＥＤ信号を発信する（Ｓ３）。このとき、ＣＥＤ信号は、初期通信部８２から着信検出部８１および回線Ｉ／Ｆ部７１を介して送信側に送信される。
【００５２】
着信検出部８１は、ＣＥＤ信号が発信されると、電力制御部８３に対してＣＥＤ信号の発信を通知する信号を出力し、電力制御部８３は、この信号を受けて、データ通信部９０に対して電力の供給を開始する（Ｓ４）。つまり、電力制御部８３は、ＣＥＤ信号の発信後、データ通信部９０の電力供給制御部９２に電力を供給し、電力供給制御部９２から通信制御部９１をはじめ、データ通信部９０の各部に電力を供給させる。これにより、データ通信部９０は、省電力モードから通常モードに切り替わり、送信側から送信されるデータを受信できる状態となる。
【００５３】
一方、データの送信側では、上記ＣＥＤ信号の受信により、互いにファクシミリの通信が可能であると判断されるので、その後、送信対象となるデータをファクシミリ装置７に向けて送信すると、データ通信部９０の通信制御部９１は、通信回線、通信Ｉ／Ｆ部７１、動作モード制御部８０の着信検出部８１、初期通信部８２を順に介して、送信側から送信されたデータを受信する（Ｓ５）。受信したデータは、ＣＰＵ９３の制御のもとで、内部メモリ９４等に格納されたり、画像形成部５Ａに送信されることになる。
【００５４】
データ通信部９０でのデータ受信の完了後、所定時間（例えば１分）が経過すると（Ｓ６）、電力制御部８３は、データ通信部９０への電力供給を停止させる（Ｓ７）。これにより、データ通信部９０は通常モードから再び省電力モードに切り替わり、データの送受信が不可能な状態となる。
【００５５】
なお、Ｓ６およびＳ７の工程は、例えば以下のようにすることで実現できる。動作モード制御部８０の着信検出部８１は、送信側から送信されるデータの通り道にあるので、送信側からのデータの送信が完了すると、その完了時点を判断することができる。したがって、データ送信の完了からの時間を計時する計時部としての機能を着信検出部８１に持たせておき、データ送信の完了後所定時間（例えば１分）が経過したときに、その旨を示す信号を電力制御部８３に出力し、電力制御部８３がデータ通信部９０への電力供給を停止させる。これにより、データ通信部９０でのデータ受信の完了後、所定時間が経過したときに、データ通信部９０を通常モードから省電力モードに切り替えることができる。なお、Ｓ７でのデータ通信部９０の省電力モードへの移行は、データ通信部９０でのデータ受信の完了直後であってもよい。
【００５６】
以上のように、本実施形態では、呼出信号の着信検出後にＣＮＧ信号を受信し、ＣＥＤ信号を発信した後、データ通信部９０に電力が供給され、データ通信部９０が省電力モードから通常モードに切り替わる。つまり、データ通信部９０が省電力モードから通常モードに切り替わるのは、ＣＥＤ信号の発信後である。したがって、呼出信号の着信検出後、直ちにデータ通信部９０を通常モードに切り替える場合のように、データが送信されない期間、つまり、ＣＮＧ信号の受信およびＣＥＤ信号の発信を行う期間での、データ通信部９０での無駄な電力消費が起こらない。よって、呼出信号の着信を検出してからデータの受信が完了するまでの１通信において、データ通信部９０での電力消費量を抑えて、より省電力化を図ることができる。このように１通信において省電力化を図れるので、この省電力化の効果は、通信回数が多いほど、つまり、ファクシミリによりデータを受ける回数が多いほど高くなる。
【００５７】
また、動作モード制御部８０の初期通信部８２は、ＣＥＤ信号を送信側に発信する簡単な回路で構成することができ、その消費電力を単位時間（例えば１日）あたり例えば０．１Ｗ程度に抑えることが可能である。一方、データ通信部９０での通常モードでの消費電力は単位時間（例えば１日）あたり例えば３〜４Ｗ程度である。したがって、動作モード制御部８０に初期通信部８２を設けて、動作モード制御部８０を通電状態にし続けても、データの受信がある場合には、装置全体としての消費電力を抑えることができる。
【００５８】
また、動作モード制御部８０は、データ通信部９０でのデータの受信完了直後または受信完了から所定時間経過後に、データ通信部９０への電力供給を遮断することにより、データ通信部９０を通常モードから省電力モードに切り換えるので、データの１通信の間のみならず、データの受信完了後も含めて、データ通信部９０での省電力化を図ることができる。
【００５９】
また、ＣＥＤ信号の発信後、電力制御部８３が電力供給制御部９２に電力を供給することによって、電力供給制御部９２から通信制御部９１に電力が供給されるので、通信制御部９１は、初期通信部８２を介してデータを受信することが可能な状態となり、データ通信部９０を確実に通常モードで動作させることが可能となる。
【００６０】
また、送信側の識別信号はＣＮＧ信号であり、受信側から発信される初期通信信号はＣＥＤ信号またはＡＮＳａｍ信号であるので、送信側と受信側とでファクシミリによる通信を確実に行うことができる。
【００６１】
また、上記したファクシミリ装置７を複合機２００が備えていることにより、複合機２００では、ファクシミリ装置７で受信したデータに基づいて用紙に画像を形成し、出力することが可能となる。
【００６２】
なお、本実施形態では、画像形成装置に適用可能なファクシミリ装置７について説明したが、画像形成装置に適用されなくても、例えば本実施形態のファクシミリ装置７をデータ通信装置単体として利用することも可能である。
【００６３】
以上、本発明の実施形態について説明したが、本発明の範囲はこれに限定されるものではなく、発明の主旨を逸脱しない範囲で種々の変更を加えて実施することができる。
【産業上の利用可能性】
【００６４】
本発明は、データ通信装置単体としてのファクシミリ装置や、複合機等の画像形成装置に利用可能である。
【符号の説明】
【００６５】
５Ａ    画像形成部
７      ファクシミリ装置（データ通信装置）
８０      動作モード制御部
８１      着信検出部
８２      初期通信部
８３      電力制御部
９０      データ通信部
９１      通信制御部
９２      電力供給制御部
２００      複合機（画像形成装置）
【図１】
0005611026.tif 000002
【図２】
0005611026.tif 000003
【図３】
0005611026.tif 000004
【図４】
0005611026.tif 000005